【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
磁気共鳴イメージングシステム（ＭＲＩ）であって、
１．０テスラ未満の磁場強度を有するメイン磁石と、
勾配コイル部品と、
ＲＦコイルシステムと、
ヒト患者からの磁気共鳴イメージングデータの取得及び処理のために構成され、パラレルイメージングを伴わないスパースサンプリングイメージング技術を利用するよう構成されるコントロールシステムとを備える、
磁気共鳴イメージングシステム。
【請求項２】
前記勾配磁場強度は２０ｍＴ／ｍを下回る、
請求項１に記載の磁気共鳴イメージングシステム。
【請求項３】
前記フリップアングルは４０度より大きい、
請求項１に記載の磁気共鳴イメージングシステム。
【請求項４】
前記コントロールシステムは、ケミカルシフト及び磁化率によるアーティファクトを０．５ミリメートル未満に保つためにＲＦ周波数帯を利用するようさらに構成される、
請求項１に記載の磁気共鳴イメージングシステム。
【請求項５】
前記コントロールシステムは、１８００Ｈｚ未満のＲＦ周波数帯に対して構成されている、
請求項４に記載の磁気共鳴イメージングシステム。
【請求項６】
前記メイン磁石の磁場強度は約０．３５テスラである、
請求項１に記載の磁気共鳴イメージングシステム。
【請求項７】
前記コントロールシステムは、ディフェージングパルスを必要としないパルス列を採用するよう構成される、
請求項１に記載の磁気共鳴イメージングシステム。
【請求項８】
前記コントロールシステムは、７５ｍＴ／ｍ／ｍｓを超える勾配スルーレートを利用するよう構成される、
請求項１に記載の磁気共鳴イメージングシステム。
【請求項９】
前記コントロールシステムは、同時マルチスライスイメージング技術を採用するよう構成される、
請求項１に記載の磁気共鳴イメージングシステム。
【請求項１０】
前記コントロールシステムは、シネＭＲＩを生成するようにさらに構成される、
請求項１に記載の磁気共鳴イメージングシステム。
【請求項１１】
前記コントロールシステムは、少なくとも毎秒４フレームのシネＭＲＩを実現可能にする速度で磁気共鳴イメージングデータを取得するようさらに構成される、
請求項１０に記載の磁気共鳴イメージングシステム。
【請求項１２】
前記メイン磁石は分割された磁石である、
請求項１に記載の磁気共鳴イメージングシステム。
【請求項１３】
前記勾配コイル部品は分割された勾配コイル部品である、
請求項１２に記載の磁気共鳴イメージングシステム。
【請求項１４】
前記システムに組み込まれる放射線治療デバイスをさらに備え、
前記放射線治療デバイスは、ヒト患者の放射線治療のために構成される、
請求項１２に記載の磁気共鳴イメージングシステム。
【請求項１５】
前記コントロールシステムは、前記ヒト患者中の組織の位置を追跡するためにシネＭＲＩを利用するようさらに構成される、
請求項１４に記載の磁気共鳴イメージングシステム。
【請求項１６】
前記放射線治療デバイスは線形加速器である、
請求項１４に記載の磁気共鳴イメージングシステム。
【請求項１７】
前記線形加速器は、４〜６ＭＶの範囲内のエネルギーを有する、
請求項１６に記載の磁気共鳴イメージングシステム。
【請求項１８】
前記放射線治療デバイスは、陽子治療システム、重イオン治療システム及びラジオアイソトープ治療システムからなるグループから選択される、
請求項１４に記載の磁気共鳴イメージングシステム。
【請求項１９】
前記分割された磁石の間隙における手術的介入を許容するようさらに構成される、
請求項１３に記載の磁気共鳴イメージングシステム。
【請求項２０】
前記システムに組み込まれたロボット手術デバイスをさらに備える、
請求項１９に記載の磁気共鳴イメージングシステム。
【請求項２１】
前記メイン磁石は超伝導磁石である、
請求項１に記載の磁気共鳴イメージングシステム。
【請求項２２】
前記メイン磁石は抵抗磁石である、
請求項１に記載の磁気共鳴イメージングシステム。
【請求項２３】
前記メイン磁石はバッテリシステムにより電源を供給される、
請求項２２に記載の磁気共鳴イメージングシステム。
【請求項２４】
前記メイン磁石は非超伝導磁石である、
請求項１４に記載の磁気共鳴イメージングシステム。
【請求項２５】
前記ＲＦコイルシステムは表面コイルを含まない、
請求項１に記載の磁気共鳴イメージングシステム。
【請求項２６】
少なくとも１つのプログラマブルプロセッサにより実行された時に、前記少なくとも１つのプログラマブルプロセッサに、
１．０テスラ未満の磁場強度のメイン磁石と、勾配コイル部品と、ＲＦコイルシステムとを備える磁気共鳴イメージングシステム（ＭＲＩ）を通じてヒト患者から磁気共鳴イメージングデータを取得するステップであって、前記取得するステップはパラレルイメージングを伴わないスパースサンプリングイメージング技術を利用する、取得するステップと、
前記磁気共鳴イメージングデータを処理するステップであって、ヒト患者の画像を再構築することを含むステップと
を含む動作を実行させる命令を格納する、非一時的機械可読媒体を備える、
コンピュータプログラム製品。
【請求項２７】
前記取得するステップは、２０ｍＴ／ｍ未満の勾配磁場強度を利用する、
請求項２６に記載のコンピュータプログラム製品。
【請求項２８】
前記取得するステップは、４０度よりも大きいフリップアングルを利用する、
請求項２６に記載のコンピュータプログラム製品。
【請求項２９】
前記取得するステップは、ケミカルシフト及び磁化率によるアーティファクトを０．５ミリメートル未満に保つためにＲＦ周波数帯を利用する、
請求項２６に記載のコンピュータプログラム製品。
【請求項３０】
前記ＲＦ周波数帯は１８００Ｈｚ未満である、
請求項２９に記載のコンピュータプログラム製品。
【請求項３１】
前記取得するステップは、磁場強度が約０．３５テスラであるメイン磁石を利用する、
請求項２６に記載の磁気共鳴イメージングシステム。
【請求項３２】
前記取得するステップは、ディフェージングパルスを必要としないパルス列を採用する、
請求項２６に記載のコンピュータプログラム製品。
【請求項３３】
前記取得するステップは、７５ｍＴ／ｍ／ｍｓを超える勾配スルーレートを利用する、
請求項２６に記載のコンピュータプログラム製品。
【請求項３４】
前記取得するステップは、同時マルチスライスイメージング技術を利用する、
請求項２６に記載のコンピュータプログラム製品。
【請求項３５】
前記処理するステップ及び再構築するステップは、シネＭＲＩを生成するステップを含む、
請求項２６に記載のコンピュータプログラム製品。
【請求項３６】
前記シネＭＲＩを生成するステップは、少なくとも毎秒４フレームを含む、
請求項３５に記載のコンピュータプログラム製品。
【請求項３７】
前記動作は、前記ヒト患者に放射線治療を施すために放射線治療デバイスを制御するステップをさらに含む、
請求項２６に記載のコンピュータプログラム製品。
【請求項３８】
前記動作は、前記ヒト患者中の組織の位置を追跡するために前記磁気共鳴イメージングデータを利用するステップをさらに含む、
請求項３７に記載のコンピュータプログラム製品。
【請求項３９】
前記動作は、前記ヒト患者中の組織の位置の追跡結果に基づいて、前記放射線治療デバイスによる前記放射線治療の施術を変更するステップをさらに含む、
請求項３７に記載のコンピュータプログラム製品。
【請求項４０】
前記動作は、手術介入をモニタするために前記磁気共鳴イメージングデータを利用するステップをさらに含む、
請求項２６に記載のコンピュータプログラム製品。